(57)【要約】【課題】      本発明は、二色成形によって樹脂製食器の内面に模様を描くことができる成形方法、及び模様付き二色成形樹脂製食器を提供する。【解決手段】  第１の樹脂からなり、内面に模様となる凹部が形成されており、該凹部が肉厚を減じた部分と貫通孔とによって構成されている成形品を成形する工程、該成形品を金型にインサートして、金型内に第１の樹脂とは異なる色の第２の樹脂を射出することにより、該成形品の外層を形成するとともに、該凹部を埋める工程を含む模様付き二色成形樹脂製食器の製造方法、及び模様付き二色成形樹脂製食器。【選択図】    図５
2010158339.tif 000002
【特許請求の範囲】
【請求項１】
第１の樹脂からなり、内面に模様となる凹部が形成されており、該凹部が肉厚を減じた部分と貫通孔とによって構成されている成形品を成形する工程、該成形品を金型にインサートして、金型内に第１の樹脂とは異なる色の第２の樹脂を射出することにより、該成形品の外層を形成するとともに、該凹部を埋める工程を含む模様付き二色成形樹脂製食器の製造方法。
【請求項２】
前記凹部が肉厚を減じた部分の厚さが、０．３〜３．０ｍｍであることを特徴とする請求項１に記載の二色成形樹脂製食器の製造方法。
【請求項３】
前記凹部において肉厚を減じた部分の深さが０．３〜３．０ｍｍであることを特徴とする、請求項１または２に記載の二色成形樹脂製食器製造方法。
【請求項４】
前記模様が、線もしくは線を含む図形で描かれており、線の巾が０．３〜８ｍｍであることを特徴とする、請求項１〜３のいずれかに記載の二色成形樹脂製食器製造方法。
【請求項５】
二色成形によって成形され、内面に閉じた線を含む模様が描かれた二色成形樹脂製食器。
【請求項６】
前記二色成形樹脂製食器が、請求項１〜４のいずれかの方法により得られたものである請求項５に記載の二色成形樹脂製食器。
【発明の詳細な説明】
【技術分野】
【０００１】
本発明は、模様付き樹脂製食器に関する。さらに詳しくは、模様付き二色成形樹脂製食器を製造する方法及び二色成形により模様を付した樹脂製食器に関する。
【背景技術】
【０００２】
学校、病院や企業の社員食堂など大規模に給食する施設では、食器として樹脂製食器が多く使用されている。樹脂製食器が軽量で割れにくく、形状および品質が均質なものを安価で入手し得ることがその主たる理由となっている。
【０００３】
熱可塑性樹脂の射出成形で製造される樹脂製食器は、単一の樹脂からなり、単色であるのが一般的である。しかし、樹脂製食器の外観に視覚を通じた美観を持たせたいという要望から、食器の内面の色と外面の色を異にするに二色成形樹脂製食器が用いられている。
【０００４】
二色成形により樹脂製食器等の容器を製造する方法として、容器本体と容器下面の部分で金型を変えて射出成形する方法が知られている。さらに、このような二色成形樹脂製容器を自動化する提案もなされている（例えば特開平５−１６２１７１号公報）し、自動二色成形装置も使用されている。
【０００５】
しかしながら、樹脂製食器の表面、特に食器内面に模様を付すことによって美的感覚を高める方法としては、従前の二色成形方法は使用できなかった。二色成形法によって、成形体表面に文字や記号を表示することは、キートップなどの成形においては行われている（例えば特開平７−８８８４号公報）が、食器表面に模様を付する方法は提案されていないし、それに使用できる技術も知られていない。
【０００６】
一方、樹脂製食器の外観に美観を持たせるために、食器表面に塗装や転写によって模様を描く方法や、透明成形体裏面に加飾してその上に樹脂を成形被覆する二重成形容器とする方法などが知られている。衛生面や成形条件などによって、模様付加の場所や使用樹脂に制限があった。
【０００７】
特開平１１−３３２７１８号公報に示されているように透明な製品を成形し、その外側側面部に加飾を施し、次にこの製品を別の金型にインサートして外側を成形する方法があるが、この方法では外側底面部に加飾を施すと、加飾等に用いたインクが外側を成形する際の樹脂圧によって押し流されたり溶けたりして絵柄模様が部分的に消えたり歪んだりする、いわゆる絵柄が流れるという欠点がある。またこの方法では印刷等加飾工程が必要になるが本発明によれば、加飾工程が不要になる。
【先行技術文献】
【特許文献】
【０００８】
【特許文献１】特開平５−１６２１７１号公報
【特許文献２】特開平７−８８８４号公報
【特許文献３】特開平１１−３３２７１８号公報
【発明の概要】
【発明が解決しようとする課題】
【０００９】
上記した従来技術の状況において、本発明者は、二色成形によって樹脂製食器の表面、特に内面に模様を描くことができる技術の開発に鋭意努めた結果、本発明に到達した物である。
すなわち、本発明は、二色成形によって樹脂製食器の内面に模様を描くことができる成形方法を提供するものである。
本発明は、また二色成形によって樹脂製食器の内面に、閉じた線で模様を描くことができる成形方法を提供する。
本発明はさらに、二色成形によって内面に閉じた線で模様が描かれた樹脂製食器を提供する。
【課題を解決するための手段】
【００１０】
本発明は、第１の樹脂からなり、内面に模様を形成する凹部が形成されており、該凹部の一部は貫通孔を構成している成形品を成形する工程、該成形品を金型にインサートして、金型内に第１の樹脂とは異なる色の第２の樹脂を射出することにより、該成形品の外層を形成するとともに、該凹部を埋める工程を含む模様付き二色成形樹脂製食器の製造方法を提供する。
【００１１】
前記凹部において肉厚を減じた部分の厚さが、０．３〜３．０ｍｍである前記した模様付き二色成形樹脂製食器の製造方法は本発明の好ましい態様である。
【００１２】
前記凹部において肉厚を減じた部分の深さが０．３〜３．０ｍｍである前記した模様付き二色成形樹脂製食器の製造方法は本発明の好ましい態様である。
【００１３】
前記模様が、線もしくは線を含む図形で描かれており、線の巾が０．３〜８ｍｍである前記した模様付き二色成形樹脂製食器の製造方法は本発明の好ましい態様である。
【００１４】
本発明は、さらに二色成形によって成形され、内面に閉じた線を含む模様が描かれた二色成形樹脂製食器を提供する。内面に閉じた線を含む模様が描かれた二色成形樹脂製食器であって、前記した二色成形樹脂製食器の製造方法で得られたものは、本発明の好ましい態様である。
【発明の効果】
【００１５】
本発明によって、二色成形によって樹脂製食器の内面に模様を描くことができる成形方法が提供される。
本発明によって、二色成形によって樹脂製食器の内面に、閉じた線で模様を描くことができる成形方法が提供される。
また、本発明によって、二色成形によって内面に閉じた線で模様が描かれた樹脂製食器を提供する。
本発明によって、提供される模様は食器を形成する樹脂によって描かれたものであるので、衛生面での懸念は全くないし、長時間持続できる模様を有する食器が提供される。
【図面の簡単な説明】
【００１６】
【図１】本発明の模様付き二色成形樹脂製食器の斜視図である
【図２】第１の金型を示す概略図である
【図３】第１の成形品の平面図、断面図及び底面図である
【図４】第２の金型に第１の金型がインサートされた様子を示す概略図である
【図５】第２の金型に第２の樹脂が射出された様子を示す概略図である
【図６】本発明の二色成形樹脂製食器の平面図、断面図及び底面図である
【図７】第１の成形品に形成された凹部の他の例を示す概略図
【図８】閉じた線で形成された模様である
【図９】開いた線で形成された模様である
【発明を実施するための形態】
【００１７】
本発明は、第１の樹脂からなり、内面に模様を形成する凹部が形成されており、該凹部の一部は貫通孔を構成している成形品を成形する工程、該成形品を金型にインサートして、金型内に第１の樹脂とは異なる色の第２の樹脂を射出することにより、該成形品の外層を形成するとともに、該凹部を埋める工程を含む模様付き二色成形樹脂製食器の製造方法を提供するものである。
【００１８】
本発明はまた、二色成形によって内面に閉じた線で模様が描かれた樹脂製食器を提供するものである。
【００１９】
以下に、図面を参照しながら本発明の実施態様を詳細に説明する。図１は本発明による方法により製造される二色成形樹脂製食器１０を示す斜視図である。図１の食器１０は上面が開放した皿形食器であり、食器内面１の底部に模様１２が形成されている。食器１０の形状は、図示されているような皿形であっても、椀形であってもよく、外形状が円形、楕円形などの円形、正方形、長方形などの方形、またはその他の形状であってもよい。
【００２０】
本発明の食器を形成する樹脂は、熱可塑性樹脂であり、熱可塑性樹脂であれば、特に制限はないが、好ましい樹脂として、ポリプロピレン、ポリカーボネート、ポリエステルポリカーボネート、ポリエチレンナフタレートなどを挙げることができる。
本発明の二色成形に用いる第１の樹脂と第２の樹脂は、色を異にするものであって、同一であることが好ましいが、異なる樹脂であってもよい。
【００２１】
食器１０の内面１１において、底面部に第２の樹脂によって描かれた模様１２が形成されている。模様１２は、連続した線で形成されており、連続した模様によって取り囲まれた地の部分が第１の樹脂によって形成されている。本発明の二色成形樹脂製食器は、このような連続した線によって自由な模様を描くことができるものである。
【００２２】
本発明の二色成形樹脂製食器１０を製造するための方法を説明する。図２に示された第１の金型２０の上面型（固定型）２１と下面型（移動型）２２との間のキャビティに、第１の樹脂を射出して第１の成形品３１を成形する。
【００２３】
第１の成形品３１の内面には、成形品３１の平面図である図３の（Ａ）に示されているように平面視所定の模様を形成する凹部３２が形成されている。図３において形成された模様は中抜き環状輪である。その凹部の一部は、下方に貫通した貫通孔３３を構成しており、凹部の他の部分は、肉厚を減じた凹部であって、好ましくは底面が成形品３１の底面と同一面である肉薄部３４である。図３の（Ｂ）は、成形品３１の断面図であるが、形成された凹部３２と、肉薄部３４の形状がわかる。図３の（Ｃ）は、成形品３１の平面図であるが、成形品３１に形成された凹部の貫通孔３３が示されている。図３の３２に示す凹部であって絵柄を描く線部の巾は０．３〜８．０ｍｍ程度であることが好ましく、より好ましくは０．５〜３．０ｍｍ程度が望ましい。図３の肉薄部３４の厚さは０．３〜３．０ｍｍ程度であることが好ましい。また図３の３２に示す成形品の溝の深さは０．３〜３．０ｍｍ程度であることが好ましい。
【００２４】
次いで、第２の金型４０の上面型４１に密着して第１の成形品３１をインサートして、金型４０のキャビティ４３に第２の樹脂を射出する。図４には、金型４０の上面型４１と下面型４２の間で第１の成形品が上面型４１に密着してインサートされている様子が示されている。図５には、金型４０を閉じて、キャビティ４３に第２の樹脂３５を射出された後の様子が示されて。図５では、第１の樹脂の色を白色、第２の樹脂の色を黒色として示されているが、第２の樹脂３５はキャビティ４３の空間を埋めかつ第１の成形品３１の凹部の貫通孔から凹部内に供給され、第１の成形品３１の凹部を埋めて、二色成形樹脂製食器１０が成形されている様子が示されている。
【００２５】
上記下面型２２及び４２には、樹脂を射出するためのゲートが通常の態様で備えられているが、図において記載するのは省略している。
【００２６】
図６には得られた二色成形樹脂製食器１０の平面図（Ａ）、断面図（Ｂ）及び底面図（Ｃ）が示されている。二色成形樹脂製食器１０には、図６の（Ａ）からわかるように、内面１１において、底面部に第２の樹脂によって描かれた環状模様１２が形成されている。模様１２は、閉じた連続線で形成されており、連続線によって取り囲まれた地の部分が第１の樹脂によって形成されている。
【００２７】
図７は、本発明の二色成形樹脂製食器の製造方法によって、食器内面に複雑な模様を描くときの、第１の成形品に形成される凹部の他の例を示している。このような形状の凹部を有する第１の成形品を用いて、二色成形樹脂製食器を成形すると、図８に示されるような複雑でかつ閉じた線で形成された模様を有する樹脂製食器が二色成形によって製造することができる。なお、図７における黒色は貫通孔を表しており、図８の黒色は第２の樹脂により描かれた模様を表す。
【００２８】
従来公知の二色成形技術を適用して、模様となる部分を凸部として形成する方法を食器成形に適用したとしても、図９に示すような開いた線で形成された模様は描けても、閉じた線で形成された模様を有する樹脂製食器は製造できなかったところ、本発明によってその製造が可能となったのである。
本発明の方法によって、開いた線で形成された模様を描くこともできる。
【産業上の利用可能性】
【００２９】
本発明によって、二色成形によって樹脂製食器の内面に模様を描くことができる成形方法が提供される。本発明による模様は食器を形成する樹脂によって描かれたものであるので、衛生面での懸念は全くないし、長時間持続できる模様である。
本発明よって、二色成形によって樹脂製食器の内面で、特に底部に模様を描くことが可能となる。従来模様を付すことが困難であった、底部に模様を描くことができるようになったので、食器の装飾の幅が広がり、各種食器への展開が期待される。
また、本発明によって、簡便な方法で上記のような優れた特徴を有する模様付き食器を製造することができる食器の製造方法が提供される。
【符号の説明】
【００３０】
１０．二色成形樹脂製食器
１１．食器内面
１２．模様
２０．第１の金型
２１．上面型
２２．下面型
３１．第１の成形品
３２．凹部
３３．貫通孔
３４．肉薄部
３５．第２の樹脂
４０．第２の金型
４１．上面型
４２．下面型
４３．キャビティ
【図１】
2010158339.tif 000003
【図２】
2010158339.tif 000004
【図３】
2010158339.tif 000005
【図４】
2010158339.tif 000006
【図５】
2010158339.tif 000007
【図６】
2010158339.tif 000008
【図７】
2010158339.tif 000009
【図８】
2010158339.tif 000010
【図９】
2010158339.tif 000011